【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
固定帯域幅チャネル全体に亘って異なるビット・レートを有する複数のプリコード化されたプログラムを伝送する方法であって、
各々のプログラムの少なくとも２つの異なるビット・レート・リプリゼンテーションを生成するステップと、
各プログラムの各リプリゼンテーションに対して各々の複数の連続した時間ウィンドウＴにおいて制御情報を提供するステップであって、前記各々の連続したウィンドウに対する制御情報は、対応するプログラムのリプリゼンテーションについてのビット・レートおよび品質基準を示す、前記制御情報を提供するステップと、
各々の時間ウィンドウＴの間、チャネルの全有効容量を超えることなく選択されたリプリゼンテーションの品質を最高にするような各々のプログラムに対するリプリゼンテーションを選択するステップと、
を有する方法。
【請求項２】
前記少なくとも２つの異なるビット・レート・リプリゼンテーションを生成するステップは、各々のプログラムに対して、Ｃ／Ｐ（但し、Ｃは時間ＴおよびＰにおける全チャネル容量であり、Ｐは全プログラム数である）より大きくないピーク・ビット・レートを有する最も低いビット・レート・リプリゼンテーションを生成するステップを更に有する、請求項１に記載の方法。
【請求項３】
前記制御情報を提供するステップは、前記制御情報に表される品質基準としてピーク信号対雑音比（ＰＳＮＲ）を設定するステップを更に有する、請求項１に記載の方法。
【請求項４】
前記選択するステップは、各々のプログラムについて全ての時間ウィンドウに対して制限
【数１】
2005538651.tif 000001
（但し、Ｃは時間ウインドウＴにおける全有効チャネル容量であり、Ｐは全プログラム数であり、ｐ∈（０，Ｐ−１）は特定のプログラムのインデックスであり、Ｎ［ｐ］はプログラムｐの全リプリゼンテーション数であり、ｎ［ｐ］∈（０，Ｎ［ｐ］−１）はプログラムｐの特定のリプリゼンテーションのインデックスであり、ｒ［ｐ、ｘ］はＴの間のプログラムｐのリプリゼンテーションｘのビット・レートである）を満たすリプリゼンテーションを選択するステップを更に有する、請求項１に記載の方法。
【請求項５】
最低限の品質を有したプログラムｐの品質を最高にするために、各々のプログラムのリプリゼンテーションｎ［ｐ］∈（０，Ｎ［Ｐ］−１）を選択するステップを更に有する、請求項４に記載の方法。
【請求項６】
（ａ）インデックス値により単調に増加するビット・レートおよび品質基準を伴う品質情報をソートするステップと、
（ｂ）各々のインデックス値について、各々のビット・レート増分（デルタ）および品質値を記憶するステップと、
（ｃ）最も低いインデックス値から開始し、当該インデックス値についてここまで選択されたプログラム・リプリゼンテーションに対して全容量Ｓを計算するステップと、
（ｄ）最も低い品質基準でプログラム・リプリゼンテーションを選択するステップと、
（ｅ）最も低い品質で選択されたプログラムのビット・レート増分が、ここまで選択されたリプリゼンテーションに加えられる際に、全チャネル容量を超えるかどうかを調べるステップと、
そして、もし超えなければ、
（ｆ）インデックス値を増やすステップと、および
（ｇ）ステップ（ｃ）〜（ｆ）を繰り返すステップと
を更に有する請求項５に記載の方法。
【請求項７】
前記選択するステップは、
【数２】
2005538651.tif 000002
（但し、Ｃは時間ウインドウＴにおける全有効チャネル容量であり、Ｐは全プログラム数であり、ｐ∈（０，Ｐ−１）は特定のプログラムのインデックスであり、Ｎ［ｐ］はプログラムｐの全リプリゼンテーション数であり、ｎ［ｐ］∈（０，Ｎ［ｐ］−１）はプログラムｐの特定のリプリゼンテーションのインデックスであり、ｒ［ｐ、ｘ］はＴの間のプログラムｐのリプリゼンテーションｘのビット・レートであり、ｑ［ｐ、ｘ］はＴの間のプログラムｐのリプリゼンテーションｘの品質である）を解くことにより、個々のプログラムの品質の合計が最大になるように各々のプログラムについてリプリゼンテーションを選択するステップを更に有する、請求項１に記載の方法。
【請求項８】
前記選択するステップは、
【数３】
2005538651.tif 000003
（但し、Ｃは時間ウインドウＴにおける全有効チャネル容量であり、Ｐは全プログラム数であり、ｐ∈（０，Ｐ−１）は特定のプログラムのインデックスであり、Ｎ［ｐ］はプログラムｐの全リプリゼンテーション数であり、ｎ［ｐ］∈（０，Ｎ［ｐ］−１）はプログラムｐの特定のリプリゼンテーションのインデックスであり、ｒ［ｐ、ｘ］はＴの間のプログラムｐのリプリゼンテーションｘのビット・レートであり、ｑ［ｐ、ｘ］はＴの間のプログラムｐのリプリゼンテーションｘの品質である）を解くことにより、個々のプログラムの品質の積が最大になるように各々のプログラムについてリプリゼンテーションを選択するステップを更に有する、請求項１に記載の方法。
【請求項９】
異なる視聴者に対して異なるクラスのサービスを提供するために加重平均を適用するステップを更に有する、請求項８に記載の方法。
【請求項１０】
固定帯域幅チャネル全体に亘って異なるビット・レートを有する複数のプリコード化されたプログラムを伝送するシステムであって、
各々のプログラムの少なくとも２つの異なるビット・レート・リプリゼンテーションを生成する手段と、
各プログラムの各リプリゼンテーションに対して各々の複数の連続した時間ウィンドウＴにおいて制御情報を提供する手段であって、前記各々の連続したウィンドウに対する制御情報は対応するプログラムのリプリゼンテーションについてのビット・レートおよび品質基準を示す前記制御情報を提供する手段と、
各々の時間ウィンドウＴの間、チャネルの全有効容量を超えることなく選択されたリプリゼンテーションの品質を最高にするような各々のプログラムに対するリプリゼンテーションを選択する手段と、
を有するシステム。
【請求項１１】
前記生成する手段および前記制御情報を提供する手段は、全体として、それぞれ対応する複数のプリコード化されたプログラムの１つに関連する複数のマルチレートストリーム発生器を有する、請求項１０に記載のシステム。
【請求項１２】
前記生成する手段および前記制御情報を提供する手段は、全体として、各々のプリコード化したプログラムの少なくとも２つのビット・レート・リプリゼンテーションをコード化するマルチレートビデオ・エンコーダを有する、請求項１０に記載のシステム。
【請求項１３】
前記生成する手段および前記制御情報を提供する手段は、全体として、
各々のプリコード化したプログラムの少なくとも２つのビット・レート・リプリゼンテーションをコード化するマルチレートビデオ・エンコーダと、
各々のプリコード化されたプログラムについてビット・レート・プレゼンテーションをパケット化する役割をする複数のトランスポート・パケタイザと、
を有する、請求項１０に記載のシステム。
【請求項１４】
前記選択する手段は、統計的多重化装置を有する、請求項１０に記載のシステム。
【請求項１５】
前記選択する手段は、
統計的多重化装置と、
選択するリプリゼンテーションをパケット化するトランスポート・パケタイザと、
を有する、請求項１２に記載のシステム。
【請求項１６】
前記選択する手段は、各々のプログラムについて、各々のプログラムに対して、Ｃ／Ｐ（但し、Ｃは時間ＴおよびＰにおける全チャネル容量であり、Ｐは全プログラム数である）より大きくないピーク・ビット・レートを有する最も低いビット・レート・リプリゼンテーションを生成する、請求項１０に記載のシステム。
【請求項１７】
前記制御情報を提供する手段は、ピーク信号対雑音比（ＰＳＮＲ）に従って品質基準を設定する、請求項１０に記載のシステム。
【請求項１８】
前記選択する手段は、各々のプログラムについて全ての時間ウィンドウに対して制限
【数４】
2005538651.tif 000004
（但し、Ｃは時間ウインドウＴにおける全有効チャネル容量であり、Ｐは全プログラム数であり、ｐ∈（０，Ｐ−１）は特定のプログラムのインデックスであり、Ｎ［ｐ］はプログラムｐの全リプリゼンテーション数であり、ｎ［ｐ］∈（０，Ｎ［ｐ］−１）はプログラムｐの特定のリプリゼンテーションのインデックスであり、ｒ［ｐ、ｘ］はＴの間のプログラムｐのリプリゼンテーションｘのビット・レートである）を満たすリプリゼンテーションを選択する、請求項１０に記載のシステム。
【請求項１９】
前記選択する手段は、最低限の品質を有したプログラムｐの品質を最高にするために、各々のプログラムのリプリゼンテーションｎ［ｐ］∈（０，Ｎ［Ｐ］−１）を選択する、請求項１８に記載のシステム。
【請求項２０】
前記選択する手段は、
【数５】
2005538651.tif 000005
（但し、Ｃは時間ウインドウＴにおける全有効チャネル容量であり、Ｐは全プログラム数であり、ｐ∈（０，Ｐ−１）は特定のプログラムのインデックスであり、Ｎ［ｐ］はプログラムｐの全リプリゼンテーション数であり、ｎ［ｐ］∈（０，Ｎ［ｐ］−１）はプログラムｐの特定のリプリゼンテーションのインデックスであり、ｒ［ｐ、ｘ］はＴの間のプログラムｐのリプリゼンテーションｘのビット・レートであり、ｑ［ｐ、ｘ］はＴの間のプログラムｐのリプリゼンテーションｘの品質である）を解くことにより、個々のプログラムの品質の合計が最大になるように各々のプログラムについてリプリゼンテーションを選択する、請求項１０に記載のシステム。
【請求項２１】
前記選択する手段は、
【数６】
2005538651.tif 000006
（但し、Ｃは時間ウインドウＴにおける全有効チャネル容量であり、Ｐは全プログラム数であり、ｐ∈（０，Ｐ−１）は特定のプログラムのインデックスであり、Ｎ［ｐ］はプログラムｐの全リプリゼンテーション数であり、ｎ［ｐ］∈（０，Ｎ［ｐ］−１）はプログラムｐの特定のリプリゼンテーションのインデックスであり、ｒ［ｐ、ｘ］はＴの間のプログラムｐのリプリゼンテーションｘのビット・レートであり、ｑ［ｐ、ｘ］はＴの間のプログラムｐのリプリゼンテーションｘの品質である）を解くことにより、個々のプログラムの品質の積が最大になるように各々のプログラムについてリプリゼンテーションを選択する、請求項１０に記載のシステム。
【請求項２２】
異なる視聴者に対して異なるクラスのサービスを提供するために加重平均を適用する、請求項１０に記載のシステム。